(57)【要約】      （修正有）【課題】平面視のみならず側面視においてもバッテリー端子が占めるスペースを小さくして省スペースを実現し、確実な圧接固定ができ、かつ、安価に製造可能なバッテリー端子を提供する。【解決手段】バッテリー端子は、バッテリーポスト３に嵌め込む接触本体部１２と電機部品接続部２１とからなるポスト接触体１１と、前記接触本体部を締め付け、バッテリーポストとほぼ同じ高さからなるポスト締付体３１とからなる。接触本体部１２は隙間が形成され、その内径が拡縮可能となり、その表面に形成される被係合部１９とポスト締付体３１に形成された係合部３４により、締付固定が可能になる。【選択図】図５
2015053121.tif 000002
【特許請求の範囲】
【請求項１】
バッテリーのバッテリーポストに固定するバッテリー端子であって、
バッテリーポストの形状に対応して筒体の内径を拡縮させ得る隙間を有し、前記筒体の内側面がバッテリーポストに接触するとともに、前記筒体の外側面には前記隙間を挟んで被係合部が複数箇所配置される接触本体部と、
前記接触本体部から電気部品と接続させ得る接続部材に電力を伝達する電気部品接続部と、
前記接触本体部の被係合部に係合させ得る係合部を有し、前記バッテリーポストとほぼ同じ高さからなるポスト締付体と、を有してなり、
前記ポスト締付体の係合部を前記接触本体部の被係合部に係合させることにより、前記接触本体部の内径を縮径して前記バッテリーポストに圧接して固定することを特徴とするバッテリー端子。
【請求項２】
請求項１記載のバッテリー端子において、
前記接触本体部には、前記隙間を形成する２つの対向端面において、いずれか一方の端面から突出して他方の端面より奥に係入し得る凸部と、他方の端面側において前記凸部を係入させ得る凹部とを有し、前記凹部と前記凸部との間を部分的に接触させることを特徴とするバッテリー端子。
【請求項３】
請求項１記載のバッテリー端子において、
前記接触本体部に形成された隙間は、ポスト締付体の締付方向に湾曲して形成され、隙間を形成する一方端面の内面側にバッテリーポスト方向に突出する食い込み部を有することを特徴とするバッテリー端子。
【請求項４】
請求項１ないし３のいずれか１項に記載のバッテリー端子において、
前記被係合部はプレス加工により形成された突条であり、前記係合部は前記突条に螺合する雌ねじであることを特徴とするバッテリー端子。
【請求項５】
請求項１ないし４のいずれか１項に記載のバッテリー端子において、
前記ポスト締付体の上側に、締付工具により締め付けることができる締付部が形成されていることを特徴とするバッテリー端子。
【請求項６】
請求項５記載のバッテリー端子において、
前記締付部は、多角形状であることを特徴とするバッテリー端子。
【請求項７】
請求項１ないし４のいずれか１項に記載のバッテリー端子において、
前記ポスト締付体は、その外表面が多角形に形成された締付部であることを特徴とするバッテリー端子。
【請求項８】
請求項７記載のバッテリー端子において、
前記ポスト締付体の前記締付部上面側が外方に突出した鍔部を有することを特徴とするバッテリー端子。
【請求項９】
請求項７ないし８のいずれか１項に記載のバッテリー端子において、
前記ポスト締付体は、複数の本体形成片を折曲げて形成したものであることを特徴とするバッテリー端子。
【請求項１０】
請求項７ないし９のいずれか１項に記載のバッテリー端子において、
前記ポスト締付体は、１枚の略扇状板材を折曲げて形成したものであることを特徴とするバッテリー端子。
【発明の詳細な説明】
【技術分野】
【０００１】
本発明は、主に自動車に用いられるバッテリーのバッテリーポストに圧接固定するバッテリー端子に関する。
【背景技術】
【０００２】
主に自動車に用いられるバッテリーのバッテリーポストに取り付けるバッテリー端子は、当該端子が占めるスペースを小さくし、取付作業を容易にすることが求められていた。
これは、自動車等に用いられるバッテリーはエンジンルーム内に配置されることが多く、エンジンルームにはエンジンのみならず様々な機器が配置されるためである。
【０００３】
特許文献１には、略Ｖ字状に折り曲げた接触本体部（電極接続部）をバッテリーポストの上方から取り付け、その接触本体部（電極接続部）を外側から押し込んで締め付けるポスト締付体（締め付け具）よりなるバッテリー端子が記載されている。
【０００４】
また、特許文献２に記載されたバッテリーターミナルは、バッテリーポストに装着されるネジ部を形成した接触本体部（電極把持部）と、前記ネジ部と螺合する嵌合部材を有するポスト締付体（スペーサ部材）と、嵌合部材に取り付けられたスタットボルトに螺合されるナット、を備え、スタットボルトに螺合されたナットを回転させることにより、雄ネジ部と雌ネジ部の螺合状態が進んで接触本体部（電極把持部）を縮径し、バッテリーポストに固着させる技術が記載されている。
【先行技術文献】
【特許文献】
【０００５】
【特許文献１】特開２００６−１９０５６５号公報
【特許文献２】特開平９−３５７０２号公報
【発明の概要】
【発明が解決しようとする課題】
【０００６】
特許文献１に記載されたバッテリー端子は、以前の端子に比べ、当該端子の占めるスペースを小さくするものであるが、完全なものではなかった。
すなわち、平面視におけるバッテリー端子の占めるスペースは小さくなるものの、電極接続部を略Ｖ字状に折り曲げたことにより、その高さがバッテリーポストの２倍程度となり、省スペースに資するものではなかった。そのうえ、締め付け具の凹み部と電極接続部の膨出部との嵌まり込みにより固定しているが、このような手段で強固に固定するには精密な寸法精度が必要となる等、安価な製造コストによる製造が可能なものではなかった。
【０００７】
特許文献２に記載されたバッテリー端子についても、スタットボルトに螺合されるナットがバッテリーポストより上に突出し、その高さが高くなり、省スペースに資するものではなかった。そのうえ、略台形状である電極把持部の外側面に雄ネジ部を形成することで、安価な製造コストを実現するものではなかった。
【０００８】
かかる事由に鑑み、本発明の課題は、平面視のみならず側面視においてもバッテリー端子が占めるスペースを小さくして省スペースを実現し、確実な圧接固定ができ、かつ、安価に製造可能なバッテリー端子を提供することにある。
【課題を解決するための手段】
【０００９】
本発明のバッテリー端子は、バッテリーのバッテリーポストに固定するバッテリー端子であって、バッテリーポストの形状に対応して筒体の内径を拡縮させ得る隙間を有し、前記筒体の内側面がバッテリーポストに接触するとともに、前記筒体の外側面には前記隙間を挟んで被係合部が複数箇所配置される接触本体部と、前記接触本体部から電気部品と接続させ得る接続部材に電力を伝達する電気部品接続部と、前記接触本体部の被係合部に係合させ得る係合部を有し、前記バッテリーポストとほぼ同じ高さからなるポスト締付体と、を有してなり、前記ポスト締付体の係合部を前記接触本体部の被係合部に係合させることにより、前記接触本体部の内径を縮径して前記バッテリーポストに圧接して固定することを特徴とする。
【００１０】
また、前記接触本体部には、前記隙間を形成する２つの対向端面において、いずれか一方の端面から突出して他方の端面より奥に係入し得る凸部と、他方の端面側において前記凸部を係入させ得る凹部とを有し、前記凹部と前記凸部との間を部分的に接触させることが好ましい。
【００１１】
また、前記接触本体部に形成された隙間は、ポスト締付体の締付方向に湾曲して形成され、隙間を形成する一方端面の内面側にバッテリーポスト方向に突出する食い込み部を有することが好ましい。
【００１２】
また、前記被係合部はプレス加工により形成された突条であり、前記係合部は前記突条に螺合する雌ねじであることが好ましい。
なお、プレス加工による刻造される突条について詳細に図３を用いて後述する。
【００１３】
また、前記ポスト締付体の上側に、締付工具により締め付けることができる締付部が形成されていることが好ましい。
【００１４】
また、前記締付部は、多角形状であることが好ましい。
【００１５】
また、前記ポスト締付体は、その外表面が多角形に形成された締付部であることが好ましい。
【００１６】
また、前記ポスト締付体の前記締付部上面側が外方に突出した鍔部を有することが好ましい。
【００１７】
また、前記ポスト締付体は、複数の本体形成片を折曲げて形成したものであることが好ましい。
【００１８】
また、前記ポスト締付体は、１枚の略扇状板材を折曲げて形成したものであることが好ましい。
【発明の効果】
【００１９】
本発明に係るバッテリー端子によれば、平面視のみならず側面視においてもバッテリー端子が占めるスペースを小さくして省スペースを実現し、確実な圧接固定ができ、かつ、安価に製造可能なものとなる。
【図面の簡単な説明】
【００２０】
【図１】バッテリーポストがあるバッテリーに第１の実施形態に係るバッテリー端子を接続した状態を示す斜視図である。
【図２】第１の実施形態に係るバッテリー端子のポスト接触体を示す斜視図である。
【図３】第１の実施形態に係るポスト接触体を製造するうえで、銅板から切断した状態を示す平面図である。
【図４】第１の実施形態に係るバッテリー端子のポスト締付体を示す斜視図である。
【図５】第１の実施形態に係るポスト接触体、ポスト締付体をバッテリーポストに取り付ける状態を示す一部断面を含む分解斜視図である。
【図６】第１の実施形態に係るバッテリー端子をバッテリーポストに締付固定した状態を示す断面図である。
【図７】第２の実施形態に係るポスト接触体を示すもので、（ａ）はその全体斜視図、（ｂ）は（ａ）の破線Ｘで囲った部分の拡大斜視図である。
【図８】本発明の第３の実施形態のバッテリー端子を示すもので、（ａ）はそのポスト締付体の全体斜視図、（ｂ）はバッテリー端子をバッテリーポストに取り付けた状態を示す断面図である。
【図９】本発明の第４の実施形態のバッテリー端子を示すもので、（ａ）はそのポスト締付体の全体斜視図、（ｂ）はバッテリー端子をバッテリーポストに取り付けた状態を示す断面図である。
【図１０】本発明の第５の実施形態を示すもので、（ａ）はポスト締付体の展開図、（ｂ）は組み合わせて完成したポスト締付体の斜視図である。
【図１１】本発明の第６の実施形態を示すもので、（ａ）はポスト締付体の展開図、（ｂ）は組み合わせて完成したポスト締付体の斜視図である。
【発明を実施するための形態】
【００２１】
本発明の第１の実施形態に係るバッテリー端子１を、図面に基づいて説明する。図１に示すように、バッテリー端子１は、バッテリー２、特に自動車に用いられる箱状のバッテリー２から略円錐台状に突出するバッテリーポスト３、３に圧接して固定し、バッテリー２からの電力を電気部品に供給するための接続端子である。
【００２２】
なお、自動車用バッテリー２のバッテリーポスト３は、その寸法、形状がＪＩＳ規格で定められており、全てテーパ面４を形成した略円錐台の形状である。本発明の各実施形態にかかるバッテリー端子１は、このＪＩＳ規格に定められたバッテリーポスト３の形状に対応するものとして説明する。
【００２３】
図５に示すように、第１の実施形態に係るバッテリー端子１は、ポスト接触体１１と、ポスト締付体３１と、からなるものである。バッテリーポスト３に上方から嵌め込んで締め付けて固定することで、このバッテリーポスト３と接続し、電気製品に接続して、電力を供給することができる。
【００２４】
図２に示すように、バッテリー端子１を構成するポスト接触体１１は、接触本体部１２と、電気部品接続部２１と、を有してなる所定の厚みを有する銅製部材である。ポスト接触体１１の材質は、電導性があるものであればよく、その他の材質であってもよい。
【００２５】
ポスト接触体１１の接触本体部１２は、上下部分が開放された略円筒状の形状である。接触本体部１２の内側面１４は、バッテリーポスト３のテーパ面４と同じくテーパ状に形成されている。これにより、図５、６に示すように、バッテリーポスト３に接触本体部１２を嵌め込んだ場合、バッテリーポスト３のテーパ面４と接触本体部１２の内側面１４とが確実に接触する。
【００２６】
接触本体部１２は、その一部である前面側（図２における前面側であり、電気部品接続部２１の反対側）の位置に、その上端から下端にかけて切り欠いた隙間１５が形成される。この隙間１５を形成することにより、接触本体部１２の内径を拡縮させることが可能になる。
【００２７】
接触本体部１２は、上端から下端にかけて切り欠いた隙間１５を有しており、その左右両側には、２つの対向端面２８、２９が形成される。そして、その途中において、この一方の対向端面２８から他方の対向端面２９側へ、長方形状に奥に係入し得る凸部１７が形成され、他方の対向端面２９側において前記凸部１７を係入させ得る同じく長方形状の凹部１６が形成されている。
【００２８】
他方の対向端面２９を凹状にした凹部１６の中央付近から凸部１７側に向けて、一部を突出させた突出部１８が形成され、この突出部１８の先端部分が凸部１７と接触している。凸部１７には、その表面から裏面にかけて開孔した孔２０が形成されている。
【００２９】
したがって、接触本体部１２の隙間１５は、上端から一定長さで下方向に伸び、その途中では凹部１６、凸部１７により一旦、当該隙間１５がなくなるが、接触本体部１２の下側において一定長さで下端へと伸びている。そして、隙間１５がなくなっている部分において、突出部１８が凸部１７と接触している。
【００３０】
この隙間１５により接触本体部１２の内径を拡縮させ得ることができ、突出部１８が接触していることにより後述のように容易に仮止めが可能になる。
【００３１】
接触本体部１２の外表面には、被係合部１９、１９が複数箇所に形成されている。具体的に言うと、被係合部１９、１９は、ここでは四列の突条であり、接触本体部１２の外表面に所定の間隔をもって三カ所、刻設されている。つまり、被係合部１９、１９の位置は、隙間１５を挟んだ両側であって、凸部１７が凹部１６に係入されている部分の左右両側に１カ所ずつ配置され、更に、接触本体部１２の外表面のうち電気部品接続部２１側に１カ所配置されている。この配置は四カ所とするなど、配置位置は適宜変更が可能である。
隙間１５の両側を含む複数箇所に被係合部１９、１９を配置することにより、後述のように安価に製造が可能になり、隙間１５を適切に圧縮させることができ、バッテリーポスト３を確実に圧接固定することが可能になる。
【００３２】
電気部品接続部２１は、ポスト接触体１１の下縁１３から外方に水平状に延設した水平部２２、水平部２２から斜め上方へ傾斜するように延設した立ち上がり部２３、立ち上がり部２３から一部切り欠いて水平方向に延設したボルト配置部２４とからなる。電気部品接続部２１には、この例ではボルト２５がボルト配置部２４に固定されている。
【００３３】
図示しないが、電気部品接続部２１のその他の実施形態として、ボルト２５に変えてシャント抵抗を取り付けその先にボルトを圧入固定するものであってもよく、電気部品接続部２１を接触本体部１２と独立して製造し、その後に接触本体部１２と機械的に接続するものであっても良い。
【００３４】
次に、ポスト接触体１１の製造方法について説明する。
ポスト接触体１１は、所定の厚み（本実施例では１．６ｍｍ）の銅板をプレス加工により切断して形成する。図３に示すように、プレスにより切断されたポスト接触体１１には、接触本体部１２が扇条に形成されており、その片面に突条の被係合部１９、１９が既に形成されている。つまり、突条の被係合部１９、１９は、プレス加工により所定の位置に刻設される。このプレス加工により被係合部１９、１９を刻設する製造により、安価に製造が可能になる。
【００３５】
図３に示す切断されたポスト接触体１１は、扇状に形成された接触本体部１２を折り曲げ線Ｚに沿って折り曲げて立ち上げ、架空線Ｙに沿うように展開した状態から円形になるように曲げ加工される。この加工により、隙間１５を有する接触本体部１２を形成することができる。そして、この両端面２８、２９には既に凹部１６、凸部１７、突出部１８がプレス加工により形成されており、この凹部１６、凸部１７、突出部１８により、接触本体部１２の対向端面２８、２９における突き合わせ状態を保持することができる。
【００３６】
図４に示すようにポスト締付体３１は、下方が解放された円筒状の形状であり、所定の厚みを有する鉄製の部材である。素材は、鉄以外のものであってもよい。ポスト締付体３１は、締付本体部３２と、締付部３３とからなる。
【００３７】
締付本体部３２は、下方が開放された筒状の部材であり、図５に示すように、その内側面に雌ネジが形成された係合部３４が形成されている。ポスト締付体３１をポスト接触体１１の接触本体部１２に上方から嵌め込むと、この係合部３４が、接触本体部１２の外表面に形成されている雄ネジ状の突条からなる被係合部１９、１９と係合して、接触本体部１２を締め付けることが可能になる。
【００３８】
本実施形態においてポスト接触体１１とポスト締付体３１との係合は、複数の突状からなる被係合部１９、１９と雌ネジ状の係合部３４とにより、なされているが、これに限定されず、例えばポスト接触体１１とポスト締付体３１の各々に複数の爪を設けたバヨネット構造等にしてもよい。
【００３９】
締付部３３は、締付本体部３２の上面から六角形状に立設したものである。この締付部３３にスパナ等を嵌めて締め付けることが可能となる。また、締付部３３の上面中央部分が六角形状に開口された、開口部３５が形成される。この開口部３５にレンチ等を嵌めてポスト締付体３１を締め付けることが可能になり、この開口部３５も本案における締付部に相当する。
なお、この例では、締付部３３及び締付部に相当する開口部３５を六角形状にしたもので説明したが、その形状は四角形状や八角形状など、適宜の多角形状にすることができる。
【００４０】
次に、図５、図６に示すように、バッテリー端子１の固定方法について説明する。まず、基本的な固定方法は、ポスト接触体１１の接触本体部１２を、バッテリーポスト３の上方（先端部側）から矢印線Ａの方向へ嵌め込み、さらにポスト締付体３１を接触本体部１２の上方から矢印線Ｂの方向へ嵌め込む。このように嵌め込んだ状態で、施工者が電気部品接続部２１を支持しながら、ポスト締付体３１の締付部３３にスパナ等を嵌めて、回動させる。この回動により、ポスト締付体３１の係合部３４と、接触本体部１２の被係合部１９、１９とが螺合し、バッテリーポスト３の表面のテーパ面４に接触本体部１２の内側面１４が接触しながら、接触本体部１２が締め付けられる。これにより、接触本体部１２の内側面１４がバッテリーポスト３の表面のテーパ面４に圧接して固定される。
【００４１】
この締付固定において、さらに強固に締め付けると、隙間１５を有するポスト接触体１１の接触本体部１２全体が圧縮され、隙間１５がさらに小さくなり、接触本体部１２の内側面１４がバッテリーポスト３のテーパ面４に圧接するように締付固定される。この場合、凹部１６に形成された突出部１８と凸部１７とは最初から接触しているので、この締付固定による圧縮によって弾性変形し、隙間１５や孔２０が埋まり、接触本体部１２の内側面１４のほぼ全体がバッテリーポスト３のテーパ面４に圧接する。
【００４２】
また、本実施形態のように突出部１８が形成されることで、バッテリー端子１の仮止めが容易になる。すなわち、本発明のバッテリー端子１はポスト接触体１１とポスト締付体３１との２つの部品からなるものであり、通常はポスト接触体１１にポスト締付体３１を仮止めした状態（セットした状態）で出荷、搬送される。ポスト締付体３１を適正量以上に回転させた仮止め状態で、施工者がそのままバッテリーポスト３に取り付けると、バッテリーポスト３へのバッテリー端子１の取付状態が不完全である可能性がある。そこで、仮止め状態と本固定状態とを明確に認識できる形態が好ましい。
【００４３】
そこで、ポスト締付体３１をポスト接触体１１に適切な状態で仮止め出来るための手段として、前述の凹部１６、凸部１７、突出部１８が設けられている。凹部１６から突出した突出部１８と凸部１７とが接触しているので、ポスト締付体３１をポスト接触体１１に手で軽く廻し込むと、所定の部分で固くなり止まる。この状態が仮止め完了状態である。そして、バッテリーポスト３に本止めする場合は、スパナやレンチ等の工具にてポスト締付体３１を回転させるので、突出部１８、凸部１７、凹部１６、孔２０が弾性変形して、隙間１５やポスト接触体１１全体が縮径し結果的にポスト接触体１１がバッテリーポスト３のテーパ面４に圧接固定される。このように、突出部１８、凸部１７等がある実施形態により、仮止め状態と本固定状態とを明確に区分けすることが可能になる。
【００４４】
本実施形態のバッテリー端子１は、平面視においてはポスト締付体３１が最大寸法となり、側面視においてはバッテリーポスト３の高さにポスト締付体３１の締付部３３の高さを加えたものが最大寸法となる。したがって、バッテリー端子１は、平面視のみならず側面視においてもバッテリー端子１が占めるスペースを小さくする省スペースに資することが可能になる。また、バッテリー端子１は、突状の被係合部１９、１９と雌ねじ状の係合部３４との係合によりポスト接触体１１の接触本体部１２の内径を縮径するので、バッテリーポスト３への確実な圧接固定ができる。
【００４５】
本発明の第２の実施形態を、図７（ａ）、（ｂ）に基づいて説明する。
図７（ａ）に示すように、このバッテリー端子のポスト接触体５１は接触本体部５２と電気部品接続部５３とからなり、上端から下端にかけて隙間５４が円弧状に傾斜して、形成される。また、図７（ａ）、（ｂ）に示すように、隙間５４を形成する一方の対向端面５５と、他方の対向端面５６が形成されるが、一方の対向端面５５の内面５８側が、内面５８方向に突出する食い込み部５７が形成されている。この食い込み部５７は、切断工程の際に、切断面を内側に突出させて形成することができる。
【００４６】
食い込み部５７は、ポスト締付体を回転させたとき、ポスト接触体５１もポスト締付体と共に回転するいわゆる共回りを防止するためのものである。すなわち、バッテリーポストは鉛製で表面が柔らかいため、ポスト接触体５１を嵌め込み、ポスト締付体３１を回転させると、この食い込み部５７がバッテリーポストのテーパ面に食い込むように接触する。この食い込み部５７により摩擦抵抗が高まり、ポスト締付体３１を絞め付けたときに、ポスト接触体５１の供回りを防止することができる。
【００４７】
また、隙間５４が締付回動方向（図７における時計回り方向）に沿って、円弧状に傾斜して形成され、この隙間５４により形成される右側の接触本体部５２の端面も同様に円弧状に傾斜して形成されている。この端面の内面側の先端に形成される食い込み部５７は、その端面に沿って円弧状に連続して形成されているため、ポスト締付体３１を回動させた場合、ポスト接触体５１は浮き上がる方向とは反対の方向に力が働くため、確実かつ容易に締付固定をすることができる。
【００４８】
次に、本発明の第３の実施形態を、図８（ａ）、（ｂ）に基づいて説明する。このバッテリー端子は、第１の実施形態と異なり、ポスト締付体６１の外表面６２が六角形状の締付部であり、ポスト締付体６１にスパナ等の工具を嵌めて回動して締め付けることができる。
【００４９】
図８（ｂ）に示すように、第３の実施形態によるポスト締付体６１も、第１の実施形態と同じく、その内部に雌ネジ状に形成された係合部６３を有し、この係合部６３にポスト締付体１１の被係合部１９、１９を係合して、締め付けて固定することができる。
【００５０】
第３の実施形態によるポスト締付体６１は、第１の実施形態と異なり、上部に締付部３３が形成されておらず、その高さはバッテリーポスト３の高さとほぼ変わらない。そのため、より省スペースに資することが可能になる。また、第３の実施形態は高さをより制限するものであるため、電気部品接続部のボルト２５の高さも、ポスト締付体６１に合わせて低く設定してある。これは、電気部品接続部の立ち上がり部２３の傾斜を緩やかにし、第１の実施形態よりもボルト配置部２４の高さを低くしている。これにより、より省スペースに資するバッテリー端子を提供することができる。
なお、この例では、ポスト締付体６１の外表面６２が六角形状の締付部としたもので説明したが、その形状は四角形状や八角形状など、適宜の多角形状にすることができる。
【００５１】
次に、本発明の第４の実施形態を、図９（ａ）、（ｂ）に基づいて説明する。このバッテリー端子は、ポスト締付体７１の形状が第３の実施形態と異なる。第４の実施形態は、ポスト締付体７１の外表面７２が六角形状の締付部であって、この部分にスパナを嵌めて回動できることについては、第３の実施形態と同じである。しかし、第４の実施形態に係るポスト締付体７１は、ポスト締付体７１の締付部上面側が外方に突出した鍔部７３が形成されている。
【００５２】
この鍔部７３が形成されていることにより、スパナ等の工具を用いたとき、工具抜けを防止することができ、より容易にポスト締付体７１を回動して締め付けることが可能になる。
【００５３】
次に、本発明の第５の実施形態を、図１０（ａ）、（ｂ）に基づいて説明する。このバッテリー端子は、ポスト締付体８１が第１の実施形態と異なり、展開された本体形成片８３、８３を折り曲げて形成される。すなわち、ポスト締付体８１は、中央の基部８２と、その基部８２から放射状に複数、この例では６個配置される本体形成片８３、８３とからなる。基部８２と各々の本体形成片８３との間（図面上、破線部分）を境に本体形成片８３、８３を折り曲げて、略筒状のポスト締付体８１を形成する。本体形成片８３、８３は、雌ネジ状の係合部８４、８４が形成され、この係合部８４、８４と接触本体部１２の被係合部１９、１９とが係合して締付固定が可能になる。
【００５４】
次に、本発明の第６の実施形態を、図１１（ａ）、（ｂ）に基づいて説明する。このバッテリー端子は、そのポスト締付体９１が展開された状態から折り曲げて形成することでは第５の実施形態と同じであるが、その形成の形態が異なる。本実施形態のポスト締付体９１は、１枚の略扇状板材であって、これを６分の１ずつの本体形成片９２、９２を折り曲げて形成する。折り曲げは、図１１（ａ）に示す破線を境に折り曲げ、六角形の略筒状にして完全なポスト締付体９１とする。折り曲げの開始部と最後部はわずかに隙間９３を有していてもよい。このポスト締付体９１はポスト接触体１２への締付けを必要以上に締付けた場合、前記、開始部と最後部の間の隙間９３は広がることにより、本体形成片９２、９２等の破損を防止できる効果がある。
【符号の説明】
【００５５】
１…バッテリー端子
３…バッテリーポスト
４…テーパ面
１１、５１…ポスト接触体
１２、５２…接触本体部
１６…凹部
１７…凸部
１９…被係合部
２１、５３…電気部品接続部
２８、２９、５５、５６…対向端面
３１、６１、７１、８１、９１…ポスト締付体
３３、６２，７２…締付部（外表面）
３４…係合部
５７…食い込み部
７３…鍔部
８３、９２…本体形成片
【図１】
2015053121.tif 000003
【図２】
2015053121.tif 000004
【図３】
2015053121.tif 000005
【図４】
2015053121.tif 000006
【図５】
2015053121.tif 000007
【図６】
2015053121.tif 000008
【図７】
2015053121.tif 000009
【図８】
2015053121.tif 000010
【図９】
2015053121.tif 000011
【図１０】
2015053121.tif 000012
【図１１】
2015053121.tif 000013